(57)【特許請求の範囲】
【請求項１】
加入者側端局装置と局側端局装置及び前記加入者側端局装置と前記局側端局装置を接続する伝送路からなる加入者系ネットワークの回線試験システムにおいて、
通話路試験の進行状況を監視し、着信規制信号及び着信規制解除信号の生成を制御する手段と、
被試験回線のＩＤを着信規制信号及び着信規制解除信号に挿入する手段と、
該着信規制信号及び該着信規制解除信号を共通信号線方式の制御メッセージとして構成する手段と、
該制御メッセージを出力する手段とを備える着信規制制御部を前記加入者側端局装置に設け、
上記被試験回線ＩＤが設定された着信規制メッセージ及び着信規制解除メッセージを検出する手段と、
該着信規制メッセージ及び該着信規制解除メッセージを、それぞれ、交換機の着信規制コマンド及び着信規制解除コマンドに変換する手段と、
交換機の監視制御部に該着信規制コマンド及び該着信規制解除コマンドを投入する手段とを備える着信規制信号検出部を前記加入者ネットワークを収容する交換機に設け、
前記着信規制制御部と前記着信規制信号検出部間で、共通信号線方式のメッセージを使用した着信規制信号及び着信規制解除信号を送受信することにより、交換機を制御することを特徴とする加入者系ネットワークの回線試験システム。
【請求項２】
加入者側端局装置と局側端局装置及び前記加入者側端局装置と前記局側端局装置を接続する伝送路からなる加入者系ネットワークの回線試験システムにおいて、
通話路試験の進行状況を監視し、着信規制信号及び着信規制解除信号の生成を制御する手段と、
着信規制信号及び着信規制解除信号をＭＦ信号用のコードとして生成する手段と、
該コードをＭＦ信号化して送出するＭＦ発振器とを備える着信規制制御部を前記加入者側端局装置に設け、
着信規制及び着信規制解除のためのＭＦ信号を検出する手段と、
該検出された着信規制及び着信規制解除のためのＭＦ信号を、それぞれ、交換機の着信規制コマンド及び着信規制解除コマンドに変換する手段と、
交換機の監視制御部に該着信規制コマンド及び該着信規制解除コマンドを投入する手段とを備える着信規制信号検出部を前記加入者ネットワークを収容する交換機に設け、
前記着信規制制御部から送出された着信規制及び着信規制解除のためのＭＦ信号を、前記着信規制信号検出部に送信する通信手段を備え、
前記着信規制制御部と前記着信規制信号検出部間で、ＭＦ信号を使用した着信規制信号及び着信規制解除信号を送受信することにより、交換機を制御することを特徴とする加入者系ネットワークの回線試験システム。
【請求項３】
加入者側端局装置と局側端局装置及び前記加入者側端局装置と前記局側端局装置を接続する伝送路からなる加入者系ネットワークの回線試験システムにおいて、
通話路試験の進行状況を監視し、着信規制信号及び着信規制解除信号の生成を制御する手段と、
Ｅ１フレームＳａ４、Ｓａ５、Ｓａ６の３ビットに挿入するために被試験回線のＩＤを二進数として該着信規制信号及び着信規制解除信号に挿入する手段と、
着信規制信号及び着信規制解除信号を二進数として、Ｅ１フレームＳａ８ビットに挿入するべき信号として生成する手段と、
該着信規制信号及び着信規制解除信号及び被試験回線のＩＤを送出する手段とを備える着信規制制御部を前記加入者側端局装置に設け、
着信規制メッセージ及び着信規制解除メッセージを検出する手段と、
着信規制メッセージ及び着信規制解除メッセージを交換機の着信規制コマンドに変換する手段と、
交換機の監視制御部に着信規制コマンド及び着信規制解除コマンドを投入する手段とを備える着信規制信号検出部を前記加入者ネットワークを収容する交換機に設け、
前記着信規制制御部と前記着信規制信号検出部間で、Ｅ１フレームビットを使用した着信規制信号及び着信規制解除信号を送受信することにより、交換機を制御することを特徴とする加入者系ネットワークの回線試験システム。
【請求項４】
加入者装置と交換機の間に設けられる加入者系伝送システムを介した通話路試験を行う装置であって、
加入者系伝送システムを介して、交換機に着信規制命令あるいは着信規制解除命令を送信する着信規制制御手段を前記加入者系伝送システム内の加入者側端局装置に設け、
該着信規制制御手段からの着信規制命令あるいは着信規制解除命令を受信する着信規制信号検出手段を前記交換機に設け、
該着信規制信号検出手段で受信された着信規制命令あるいは着信規制解除命令に基づいて、交換機の分配段通話路に着信規制あるいは着信規制解除を命ずる監視制御手段とを備えることを特徴とする加入者系ネットワークの回線試験システム。
【請求項５】
前記着信規制制御手段は、前記加入者系ネットワークにおいて規定されるデータフォーマットに埋め込んで着信規制命令あるいは着信規制解除命令を送出することを特徴とする請求項４に記載の加入者系ネットワークの回線試験システム。
【請求項６】
前記データフォーマットは、Ｖ５．２インタフェースに定められるデータフォーマットであることを特徴とする請求項５に記載の加入者系ネットワークの回線試験システム。
【請求項７】
前記着信規制制御手段は、共通信号線方式を利用して、着信規制命令あるいは着信規制解除命令を送信することを特徴とする請求項６に記載の加入者系ネットワークの回線試験システム。
【請求項８】
前記着信規制制御手段は、トーン信号を利用して着信規制命令あるいは着信規制解除命令を送信することを特徴とする請求項６に記載の加入者系ネットワークの回線試験システム。
【請求項９】
前記着信規制制御手段は、Ｅ１フレームビットを使用して着信規制命令あるいは着信規制解除命令を送信することを特徴とする請求項６に記載の加入者系ネットワークの回線試験システム。
【請求項１０】
前記着信規制制御手段は、着信規制信号及び着信規制解除信号を生成する着信規制信号制御手段と、
該着信規制信号及び該着信規制解除信号に、着信規制あるいは着信規制解除を行う回線のＩＤを書込む回線ＩＤ書込手段と、
該着信規制信号制御手段と、該回線ＩＤ書込手段とで生成された着信規制コマンドあるいは着信規制解除コマンドを一時的に記憶し、これらコマンドを送出する着信規制コマンドレジスタと、を備えることを特徴とする請求項５に記載の加入者系ネットワークの回線試験システム。
【請求項１１】
前記着信規制制御手段は、着信規制信号及び着信規制解除信号を生成する着信規制信号制御手段と、
該着信規制信号制御手段によって制御され、着信規制信号あるいは着信規制解除信号をトーン信号として出力するＭＦ発振器と、を備えることを特徴とする請求項５に記載の加入者系ネットワークの回線試験システム。
【請求項１２】
前記着信規制信号検出手段は、受信された着信規制命令あるいは着信規制解除命令をコマンドとして検出する着信規制コマンド検出手段と、
該検出されたコマンドを交換機の制御用のコマンドに変換するコマンド変換手段と、を備えることを特徴とする請求項４に記載の加入者系ネットワークの回線試験システム。
【発明の詳細な説明】
【０００１】
【発明の属する技術分野】
本発明は、加入者系伝送システム（ＡＮ：Access  Network）を介した加入者系ネットワークの回線試験システムに関する。
【０００２】
【従来の技術】
近年、加入者回線のデジタル化と伝送路の光ファイバ化が推進され、加入者系ネットワークに加入者伝送システムが導入されている。従来の加入者回線は、交換機からワイヤが直接加入者の電話機あるいは端末に接続されていた。このような従来の構成では、伝送速度が制限されたり、信号の劣化などにより、ワイヤの長さが制限され、１つの交換機でカバーできるエリアが狭かった。一方、加入者回線にデジタル回線や光ファイバ等で構成される伝送装置を導入することにより、加入者回線の伝送速度の高速化が図れ、また、信号の劣化を抑制することができるので、加入者回線の長さを長く取れ、１つの交換機でカバーできるエリアも広くなる。または、交換機を大容量化することにより、交換機の数を減らすことが出来る。
【０００３】
図１３に、加入者系ネットワークの基本構成図を示す。
加入者系ネットワークは、電話機などの加入者宅内装置１３００、加入者回線１３０１、加入者系伝送システム（ＡＮ）１３０２、交換機（ＬＥ：Local  Exchange）１３０３によって構成される。加入者系伝送システム１３０２は、加入者側端局装置（ＲＴ：Remote  Terminal）１３０４と局側端局装置（ＣＴ：Central  Terminal）１３０６、及び加入者側端局装置１３０４と局側端局装置１３０６とを接続する伝送路１３０５によって構成される。ＲＴ１３０４とＣＴ１３０６とは、必ずしも一対一で接続される必要はなく、複対一でもよい。ＲＴ１３０４が交換機経由のインタフェースを提供している場合には、ＣＴ１３０６は必要とされずに、伝送路１３０５が直接にＬＥ１３０３に接続される場合もある。
【０００４】
加入者系伝送システム１３０２とＬＥ１３０３とのインタフェースは、一般にＩＴＵ−Ｔ  Ｇ．９６５及びＥＴＳ３００  ３４７で規定される標準インタフェースが採用され、Ｖ５．２インタフェースと呼ばれる。
【０００５】
従来のＬＥ１３０３は、収容されている加入者回線の信頼性を確保するために、加入者系ネットワークの回線試験として、加入者回線試験と通話路試験とを定期的に、または任意の時刻に実施する手段を提供していた。加入者系伝送システム１３０２を加入者系ネットワークに導入した場合には、ＲＴ−ＬＥ間の通話路試験の対象区間が増大し、その重要性は高くなる。加入者回線の試験は、１対の導線の抵抗等を測定するアナログ的な測定である。このような試験内容の性質上、加入者回線試験機（ＳＬＴ：Subscriber  Line  Test  unit）１３０４ａと通話路試験機（ＳＰＴ：Speak  Path  Test  unit）１３０４ｂは、ＲＴ１３０４に設置される。この場合にも、ＬＥ１３０３に直接収容されている加入者回線と同等の試験機能を提供しなければならない。
【０００６】
図１４は、従来の加入者系ネットワークのシステム構成を示す図である。
図中の上側の電話機１４００は、ＬＥ１４０２に直接収容されている。一方、下側の電話機１４０１は、ＡＮ１４０３を介してＬＥ１４０２に収容されている。ＲＴ１４０４にいる保守員が保守端末（ＬＣＴ：Local  Craft  Terminal）１４０５を使用して、ある回線に通話路試験を施そうとする場合に、従来のシステムにおいては、試験実行中にも第三者が被試験回線を呼び出すことができ、通話路試験が妨害されるケースが生じていた。
【０００７】
保守員はＬＣＴ１４０５を使用して、試験しようとする回線（被試験回線）を指定し、ＳＰＴ１４０６へ通話路試験の開始を指示する。図１４に太線で示す経路により、ＳＰＴ１４０６は通話路試験自動返信部（ＣＢＴ：Call  Back  Test  unit）１４０７に向かって発呼し、回線確立までの処理手順を確認する。回線が確立すると音声試験などを実行し、回線品質を確認する。その後、終話の処理手順を確認する。ＣＢＴ１４０７は回線が確立したときに発呼者番号を記録する。ＳＰＴ１４０６の終話後一定時間をおき、返信のため、ＣＢＴ１４０７はＳＰＴ１４０６に向かって発呼し、ＳＰＴ１４０６はリンガー信号の検出と着呼処理手順を確認する。回線確立後にＣＢＴ１４０７から終話し、その処理手順を確認する。
【０００８】
ところが、ＳＰＴ１４０６からの終話手順が完了した時点から、ＣＢＴ１４０７が発呼を開始するまでの時間に、第三者が被試験回線に向かって発呼した場合には、その呼はＳＰＴ１４０６に着信し、通話路試験を実施している保守者と発呼者（第三者）に混乱を与えていた。
【０００９】
図１５は、従来のＳＰＴ１４０６の構成を示す図である。
通話路試験制御部１５０４は通話路試験の試験手順を全体として統括するものである。通話路試験制御部１５０４は電話機１４０１からの発呼等を受けて、電話回線を接続するなどの処理を行うために、リレー制御を行う。また、試験用の構成として通話路試験測定部１５００、リレー制御部１５０１、ＭＦ（Multi  Freqency）発振器１５０３、及び呼制御部１５０２が設けられている。通話路試験において、まず、通話路試験制御部１５０４から呼制御部１５０２へ発呼を行うべき旨の指示が出される。呼制御部１５０２からの指示を受けたリレー制御部１５０１では、リレー１５０６を閉じてＬＥ１４０２に、電話機の受話器が持ち上げられた場合と同じ作用を与える。すると、ＬＥ１４０２からダイヤルトーンが返信されてきて、通話路試験測定部１５００において、電話番号入力状態になった事を確認する。次に、ＬＥ１４０２側のＣＢＴ１４０７に対し電話をかける。この場合、パルスダイヤルかトーンダイヤルかを選択する。パルスダイヤルを選択した場合には、呼制御部１５０２は、リレー制御部１５０１を用いて、電話番号をリレー１５０６をオン／オフすることによって送信する。トーンダイヤルを選択した場合には、呼制御部１５０２はＭＦ発振器１５０３を用いて音声で電話番号を送信するように制御する。
【００１０】
【発明が解決しようとする課題】
上記従来の方式では、上述したように、通話路試験実行中に、ＳＢＴ１４０６の終話後に被試験回線が平常状態（idle状態）に一時的に戻った状態では、ＳＰＴ１４０６は第三者からの着信を拒否できず、その発呼者とＳＰＴ１４０６に混乱を与え、正確な通話路試験結果を得られない問題を生じていた。
【００１１】
ＬＥ１４０２に直接収容されている加入者の回線試験及び通話路試験においては、それらの試験がＬＥ１４０２によって実行されるため、ＬＥ１４０２が自身の着信規制機能を動作させることが可能であった。そして、この着信規制機能によって、ＬＥ１４０２に直接収容されている加入者回線試験を円滑に実施していたのである。つまり、ＬＥ１４０２に直接収容されている加入者回線の場合には、第三者に妨げられることがないように試験が実施可能であった。
【００１２】
近年、Ｖ５．２インタフェースを介した加入者系伝送システムの導入により、その試験の実行は、交換機（ＬＥ）から遠隔に設置された加入者伝送システムの加入者側端局によって実施される。本来、この場合においても試験実行中は、交換機における着信規制機能を動作させるべきである。
【００１３】
特に加入者系伝送システムの導入は、通話路試験において重要性が増大する。なぜなら、従来は交換機の装置内部に閉じていた通話路が、遠隔にある加入者側端局まで延伸され、その結果としてその故障確率は明らかに増大したからである。
【００１４】
本発明は、加入者系伝送システムから交換機までの通話路試験において、被試験回線について通話路試験開始時点から完了時点までの間、加入者側端局装置から交換機の着信規制を実行させる機能を提供することを目的としている。
【００１５】
【課題を解決するための手段】
本発明の第１の側面におけるシステムは、通話路試験の進行状況を監視し、着信規制信号及び着信規制解除信号の生成を制御する手段と、被試験回線のＩＤを着信規制信号及び着信規制解除信号に挿入する手段と、該着信規制信号及び該着信規制解除信号を共通信号線方式の制御メッセージとして構成する手段と、該制御メッセージを出力する手段とを備える着信規制制御部と、上記被試験回線ＩＤが設定された着信規制メッセージ及び着信規制解除メッセージを検出する手段と、該着信規制メッセージ及び該着信規制解除メッセージを、それぞれ、交換機の着信規制コマンド及び着信規制解除コマンドに変換する手段と、交換機の監視制御部に該着信規制コマンド及び該着信規制解除コマンドを投入する手段とを備える着信規制信号検出部とを備え、前記着信規制制御部と前記着信規制信号検出部間で、共通信号線方式のメッセージを使用した着信規制信号及び着信規制解除信号を送受信することにより、交換機を制御することを特徴とする。
【００１６】
本発明の第２の側面におけるシステムは、通話路試験の進行状況を監視し、着信規制信号及び着信規制解除信号の生成を制御する手段と、着信規制信号及び着信規制解除信号をＭＦ信号用のコードとして生成する手段と、該コードをＭＦ信号化して送出するＭＦ発振器とを備える着信規制制御部と、着信規制及び着信規制解除のためのＭＦ信号を検出する手段と、該検出された着信規制及び着信規制解除のためのＭＦ信号を、それぞれ、交換機の着信規制コマンド及び着信規制解除コマンドに変換する手段と、交換機の監視制御部に該着信規制コマンド及び該着信規制解除コマンドを投入する手段とを備える着信規制信号検出部と、前記着信規制制御部から送出された着信規制及び着信規制解除のためのＭＦ信号を、前記着信規制信号検出部に送信する通信手段を備え、前記着信規制規制制御部と前記着信規制信号検出部間で、ＭＦ信号を使用した着信規制信号及び着信規制解除信号を送受信することにより、交換機を制御することを特徴とする。
【００１７】
本発明の第３の側面におけるシステムは、通話路試験の進行状況を監視し、着信規制信号及び着信規制解除信号の生成を制御する手段と、Ｅ１フレームＳａ４、Ｓａ５、Ｓａ６の３ビットに挿入するために被試験回線のＩＤを二進数として該着信規制信号及び着信規制解除信号に挿入する手段と、着信規制信号及び着信規制解除信号を二進数として、Ｅ１フレームＳａ８ビットに挿入するべき信号として生成する手段と、該着信規制信号及び着信規制解除信号及び被試験回線のＩＤを送出する手段とを備える着信規制制御部と、着信規制メッセージ及び着信規制解除メッセージを検出する手段と、着信規制メッセージ及び着信規制解除メッセージを交換機の着信規制コマンドに変換する手段と、交換機の監視制御部に着信規制コマンド及び着信規制解除コマンドを投入する手段とを備える着信規制信号検出部とを備え、前記着信規制制御部と前記着信規制信号検出部間で、Ｅ１フレームビットを使用した着信規制信号及び着信規制解除信号を送受信することにより、交換機を制御することを特徴とする。
【００１８】
本発明の第４の側面におけるシステムにおいては、加入者装置と交換機の間に設けられる加入者系伝送システムを介した通話路試験を行う装置であって、加入者系伝送システムを介して、交換機に着信規制命令あるいは着信規制解除命令を送信する着信規制制御手段と、該着信規制制御手段からの着信規制命令あるいは着信規制解除命令を受信する着信規制信号検出手段と、該着信規制信号検出手段で受信された着信規制命令あるいは着信規制解除命令に基づいて、交換機の分配段通話路に着信規制あるいは着信規制解除を命ずる監視制御手段とを備えることを特徴とする。
【００１９】
本発明によれば、近年、新たに導入されつつある加入者系ネットワークにおいてＲＴ−ＬＥ間の通話路試験を行う場合に、ＲＴ側から、試験中の被試験回線に第三者から着信が起こらないように、着信規制をかけることが出来ると共に、試験が終了したら着信規制を解除することができる。
【００２０】
【発明の実施の形態】
図１は、本発明の実施形態の原理説明図である。
ＲＴ１のＳＰＴ２内に着信規制信号を制御・送出する着信規制制御部３を設ける。また、ＬＥ４内に該着信規制信号を検出し、該ＬＥ４の監視制御部６に着信規制コマンドを投入する着信規制信号検出部５を設ける。そして、両者間（ＲＴ−ＬＥ間）の通信を実施する通信手段を設ける。
（１）本発明の第１の実施形態においては、着信規制制御部３は、通話路試験の進行状況を監視し、着信規制信号及び着信規制解除信号の生成を制御する手段と、被試験回線のＩＤを着信規制信号及び着信規制解除信号に挿入する手段と、着信規制信号及び着信規制解除信号を共通信号線方式の制御メッセージとして構成する手段と、該制御メッセージを出力する手段とを備える。そして、着信規制制御部３は、上記通信手段を介して、着信規制メッセージ及び着信規制解除メッセージを着信規制信号検出部５へ送信する。また、着信規制信号検出部５は、上記着信規制メッセージ及び上記着信規制解除メッセージを検出する手段と、上記着信規制メッセージ及び上記着信規制解除メッセージをＬＥ４の着信規制コマンド及び着信規制解除コマンドに変換する手段と、ＬＥ４の監視制御部６に該着信規制コマンド及び該着信規制解除コマンドを投入する手段とを備える。
（２）本発明の第２の実施形態においては、着信規制制御部３は、通話路試験の進行状況を監視し、着信規制信号及び着信規制解除信号の生成を制御する手段と、該着信規制信号及び該着信規制解除信号をＭＦ信号用の数値コードとして生成する手段と、該コードをＭＦ信号化して送出するＭＦ発振器とを備える。また、着信規制信号検出部５は、該ＭＦ発振器から送信される着信規制及び着信規制解除のためのＭＦ信号を検出する手段と、該着信規制及び該着信規制解除のためのＭＦ信号をＬＥ４の着信規制コマンド及び着信規制解除コマンドに変換する手段と、ＬＥ４の監視制御部６に該着信規制コマンド及び該着信規制解除コマンドを投入する手段とを備える。
（３）本発明の第３の実施形態においては、着信規制制御部３は、通話路試験の進行状況を監視し、着信規制信号及び着信規制解除信号の生成を制御する手段と、被試験回線のＩＤをＥ１フレームＳａ４、Ｓａ５、Ｓａ６の３ビットに挿入するための二進数として該着信規制信号及び着信規制解除信号に挿入する手段と、着信規制信号及び着信規制解除信号を二進数として、Ｅ１フレームＳａ８ビットに挿入するべき信号として生成する手段と、該着信規制信号及び該着信規制解除信号を送出する手段とを備える。着信規制制御部３は、該Ｅ１フレームにより、着信規制メッセージ及び着信規制解除メッセージを着信規制信号検出部５へ送信する。着信規制信号検出部５は、上記着信規制メッセージおよび着信規制解除メッセージを検出する手段と、上記着信規制メッセージ及び上記着信規制解除メッセージをＬＥ４の着信規制コマンドに変換する手段と、ＬＥ４の監視制御部６に該着信規制コマンド及び該着信規制解除コマンドを投入する手段とを備える。
【００２１】
上記本発明の各実施形態では、着信規制及び着信規制解除のための信号によって、ＲＴ１から被試験回線の着信規制及び着信規制解除を制御することが可能になり、通話路試験中に該被試験回線に対する第三者からの着信を規制することができる。着信規制及び解除の信号は、上記構成により、伝送路７を介して送信され、ＬＥ４に着信規制及び着信規制制御を行う。
【００２２】
以下、図２〜５を参照して、上記（１）の第１実施形態に対応する共通信号線方式を用いた着信規制システムを説明する。
図２は、共通信号線方式における実施形態のブロック図を示し、特に標準インタフェースであるＶ５．２インタフェースでＡＮとＬＥとを接続しているシステムのブロック図を示す。
【００２３】
ＲＴ１０にいる保守者がＬＣＴ１１を使用して任意の回線のＲＴ−ＬＥ間の通話路試験を開始する。ＬＣＴ１１からＳＰＴ１２へ被試験回線の指定と通話路試験開始命令が送出されると、ＳＰＴ１２の着信規制制御部２５内の通話路試験制御部は被試験回線ＩＤ（例えば、Ｖ５．２インタフェースにおけるＬ（Ｌａｙｅｒ）３アドレス）をレジスタに書き込み、該被試験回線ＩＤを着信規制コマンド（例えば、Ｖ５．２インタフェースにおけるControl  Protocol  Messageの当該挿入部分に設定される“００１１００１”のビット列）と共に共通信号線メッセージ制御部（ＭＣ：Message  Controller）１３に送る。ＭＣ１３は、着信規制メッセージを共通信号線メッセージの一つとして、ＬＥ１４側のＭＣ１５に送出する。
【００２４】
ＬＥ１４側のＭＣ１５では、標準規格に規定された制御路を経た制御信号を受信する。着信規制信号検出部１６は、その中から前述の着信規制メッセージを検出し、これをＬＥ１４の監視制御部１７における着信規制コマンド（例えば、“ＳＰＳ  ＴＥＲ、Ｎ：ｘｘｘ−ｘｘｘｘ”。ただし、“ｘｘｘ−ｘｘｘｘ”は被試験回線の加入者番号を表す。）に変換する。これをＬＥ１４の監視制御部１７に投入することにより、ＬＥ１４は被試験回線に着信規制を施し、第三者からの該被試験回線に対する着呼はＬＥ１４で規制され、ＲＴ−ＬＥ間の通話路試験への影響は防止される。
【００２５】
着信規制解除信号についても同様である。ＣＢＴ２４がＳＰＴ１２に返信発呼し、ＣＢＴ−ＳＰＴ間の回線が確立した後、ＳＰＴ１２の着信規制制御部２５は、Ｖ５．２インタフェースにおけるControl  Protocol  Message挿入部分に“００１１０１０”が設定されたメッセージを着信規制解除信号として用いて、着信規制解除メッセージを共通信号線メッセージの一つとしてＬＥ１４側のＭＣ１５に送出する。ＬＥ１４側では、ＭＣ１５により該着信規制制御メッセージを着信規制解除コマンド（例えば、“ＳＰＲ  Ｎ：ｘｘｘ−ｘｘｘｘ”）に変換し、これをＬＥ１４の監視制御部１７に投入することにより、ＬＥ１４は被試験回線への着信規制を解除し、加入者回線は通常状態に戻る。
【００２６】
同図において、電話機１９（１９−１〜１９−ｎ）は、ＬＥ１４に直接接続されているので、従来の方法で、通話試験を行う。電話機１８（１８−１〜１８−ｊ）は、ＡＮ２０を介してＬＥ１４に接続されているので、本実施形態を適用する。ＡＮ２０は、ＲＴ１０とＣＴ２１と、これらを接続する伝送路（または伝送装置）３４からなっている。電話機１８は、ＲＴ１０のＳＬＩＣ２２に収容されており、通常の電話をかける場合には、ＳＬＩＣ２２が着信、及び発呼を検出して、伝送路（または伝送装置）３４及びＣＴ２１を介して、ＬＥ１４に回線を接続する。
【００２７】
ＳＬＩＣ２２は、ＳＰＴ１２及びＳＬＴ２３を接続して、加入者回線試験及び通話路試験を行う。ＳＰＴ１２は、電話のシミュレータのようなものであり、ＬＣＴ１１を介して保守者が入力するコマンドに基づいて試験を行うものである。例えば、受話器を上げる動作をシミュレートし、回線を接続可能としてから、ＬＥ１４内のＣＢＴ２４を宛先とする電話番号をかけ、ＣＢＴ２４での受信状態に関する情報をＳＬＴ２３で受信する。これをＬＣＴ１１に設けられるモニタ等に表示し、解析することによってＲＴ−ＬＥ間の通話路の状態を調べることができる。
【００２８】
ここで、電話機１８のいずれかが接続されている回線を試験しようとする場合、例えば、電話機１９−１から電話機１８の内、現在試験をしている回線につながっている電話１８−ｉに対して発呼があった場合に、電話機１９−１からの呼が試験をしている回線に送られないように、ＬＥ１４に対し、着信規制をかける必要がある。そこで、ＲＴ１０のＳＰＴ１２に着信規制制御部２５を設け、着信規制をかけるべきことを共通信号線方式の制御メッセージとして送信するようにする。該制御メッセージはＳＰＴ１２から出力されるコマンドをＭＣ１３が共通信号線メッセージとして構築し、集線部２６において、ＡＮ２０の標準的なインタフェースであるＶ５．２の信号フォーマットの一部に埋め込んで、送信する。Ｖ５．２インタフェースの信号フォーマットは、後述するように、第０から第３１のタイムスロットの３２個のタイムスロットが１単位となっている。共通信号線方式では、このうち、第１６タイムスロットに、どの局番の電話回線から発呼があったかという情報を挿入して送信する。本実施形態では、この第１６タイムスロットの空いているフィールドに着信規制コマンドあるいは着信規制解除コマンドを設定して、伝送路インタフェース２７から伝送路３４を介して、ＬＥ１４に送信するようにする。
【００２９】
ＣＴ２１では、ＲＴ１０から受け取った信号を伝送路インタフェース２８を介して、ＴＳＩ（Time  Slot  Interchange）２９に入力する。ＴＳＩ２９では、タイムスロットの入れ換え等を行い、制御信号検出部３０が通話路試験に必要な制御信号を抜き出し、これを、試験制御部３１に送る。ＴＳＩ２９を通過した信号は、ＬＥインタフェース３２を介してＬＥ１４のＡＮインタフェース３３に送られる。ＭＣ１５はＡＮインタフェース３３から入力される信号の中からＶ５．２インタフェースのフレームの情報を抜き出し、これを着信規制信号検出部１６に送る。着信規制信号検出部１６は、その中から着信規制メッセージや着信規制解除メッセージを検出する。この着信規制メッセージや着信規制解除メッセージは、当該コマンドに変換されて保守者がＬＥ１４を制御するために使用する監視制御部１７に送られる。監視制御部１７は該コマンドが入力されると、保守者から入力されるコマンドと同様にして、ＬＥ１４の分配段通話路３６に、試験中の回線に対し着信規制や着信規制解除を実施する制御信号を出す。このような構成により、通話路試験を行う保守者が、ＬＥ１４とＡＮ２０を介して接続された、ＬＥ１４から遠方にあるＲＴ１０の側にいたとしても、ＬＥ１４を遠隔制御して試験回線の着信規制及び着信解除規制を首尾良く行うことが出来る。
【００３０】
図３は、第１の実施形態における着信規制制御部２５の構成例を示すブロック図である。
本実施形態の着信規制制御部２５では、従来の構成要素の他に、ＭＣ１３に送るコマンドを生成する構成要素が含まれている。ＬＣＴ１１からＳＰＴ１２へ被試験回線の指定と通話路試験開始命令が送出される。通話路試験制御部４０は、着信規制信号制御部４３に着信規制コマンドの生成を命令する。着信規制信号制御部４３では、着信規制コマンドの生成手順を実行し、着信規制コマンドを生成し、回線ＩＤ書込部４２へ出力すると共に、該回線ＩＤ書込部４２に対して、該着信規制コマンドに、ＬＣＴ１１から指定された着信規制をかける被試験回線のＩＤを書込むように指示する。回線ＩＤ書込部４２により該被試験回線ＩＤが書込まれた着信規制コマンドは、回線ＩＤ書込部４２から着信規制コマンドレジスタ４１に送られ、一旦記憶されてからＭＣ１３に送信される。なお、被試験回線ＩＤが付加された着信規制解除コマンドも同様に着信規制信号制御部４３、回線ＩＤ書込部４２、及び着信規制コマンドレジスタ４１を介してＭＣ１３に送信される。
【００３１】
その他の構成要素４４〜４７は、図１５で説明した同一名称の構成要素と同じである。
図４は、第１の実施形態における着信規制信号検出部１６の構成例を示すブロック図である。
【００３２】
着信規制信号検出部１６は、着信規制メッセージ検出部４４、及びコマンド変換部４５からなっている。ＭＣ１５からメッセージを受け取ると、着信規制メッセージ検出部４４は、ＭＣ１５から送信されたメッセージを解析し、着信規制メッセージを検出する。着信規制メッセージ検出部４４で検出された着信規制メッセージは、コマンド変換部４５に送られ、コマンド変換部４５は該着信規制メッセージをＬＥ１４の監視制御部１７のプロセッサが実行可能な着信規制コマンドに変換し、監視制御部１７に送信する。監視制御部１７は、保守者がＬＥ１４の分配段通話路３６（交換機の本体）内の回線の接続を制御するために設けられている装置であって、保守者のコマンド入力により、分配段通話路３６の回線接続を変えたり、指定された回線に着信規制をかけたりする。コマンド変換部４５から着信規制コマンドが入力されると、監視制御部１７は、このコマンドにより指定された回線に着信規制が行われるように、保守者のコマンドの入力無しに、分配段通話路３６へ制御信号を送る。なお、着信規制解除コマンドに対する動作も着信規制コマンドに対するものとほぼ同様である。
【００３３】
図５は、共通信号線方式における第１６タイムスロットのコントロール・プロトコル・メッセージのメッセージ構造について説明する図である。
ＲＴ１０側のＭＣ１３とＬＥ１４側のＭＣ１５間での着信規制メッセージと着信規制解除メッセージの通信においては、ＩＴＵ−Ｔ  Ｇ．７０３／７０４に規定されている２，０４８Ｋｂ／ｓ信号におけるタイムスロット１６に流れるコントロール・プロトコル・メッセージの中の空きビット列を用いる。同図（ａ）に示すように、１つのフレームは第０から第３１までの３２個のタイムスロットからなっており、この１つのフレームが０番から１５番まで連続して、マルチフレームを構成している。同図（ｂ）に示すように、ＥＴＳ３００  ３４７では、第１６タイムスロットにさまざまなプロトコルレイヤを規定しているが、その内、コントロール・ファンクション・エレメントの未使用のメッセージを用いる。例えば、“００１１００１”、着信規制解除であれば、例えば、“００１１０１０”を定義する。なお、着信規制・解除に用いるメッセージは、“００１１００１”から“１１１１１１１”までの中の任意のビット列を使用することが可能である。
以下、図６〜８を参照して、ＭＦ信号を用いた着信規制システムの実施形態について説明する。
【００３４】
図６は、本発明の第２の実施形態であるＭＦ信号を用いた着信規制システムのブロック図である。
なお、同図で上記図２と同じ構成要素には同じ参照符号を付してある。
【００３５】
ＲＴ１０にいる保守者がＬＣＴ１１を使用して任意の回線のＲＴ−ＬＥ間の通話路試験を開始する。ＬＣＴ１１からＳＰＴ１２ａへ被試験回線の指定と通話路試験開始命令が送出されると、ＳＰＴ１２ａはＣＢＴ５１に向かって発呼し、ＣＢＴ５１までの回線を確立する。このときＣＢＴ５１は、発呼者の加入者番号を記録する。その直後にＳＰＴ１２ａ内の通話路試験制御部はＭＦ発振器を介して、ＭＦ信号化された着信規制コード（例えば、“＃１１２＃”）をＣＢＴ５１へ送出する。
【００３６】
ＬＥ１４に設けられた着信規制信号検出部５２では、このＭＦ信号（着信規制信号）を検出し、ＣＢＴ５１が記録している発呼者の加入者番号を取り出す。そして、該着信規制信号と該発呼者の加入者番号情報によって、ＬＥ１４の監視制御部１７における着信規制コマンド（例えば、“ＳＰＳ  ＴＥＲ、Ｎ：ｘｘｘ−ｘｘｘｘ”。ただし、“ｘｘｘ−ｘｘｘｘ”は被試験回線の加入者番号を示す。）に変換する。これをＬＥ１４の監視制御部１７に投入することにより、ＬＥ１４は被試験回線に着信規制を施し、被試験回線に対する第三者からの着呼はＬＥ１４で規制され、該被試験回線の通話路試験時におけるＲＴ−ＬＥ間の通話路への影響は防止される。
【００３７】
着信規制解除信号についても同様である。ＣＢＴ５１がＳＰＴ１２ａに返信発呼し、ＣＢＴ−ＳＰＴ間の回線が確立した後、ＭＦ信号化された着信規制解除コード（例えば、“＃１１２＊”）をＳＰＴ１２ａからＣＢＴ５１へ送出する。
【００３８】
ＬＥ１４の着信規制信号検出部５２は、着信規制解除信号を検出し、これをＣＢＴ５１が記録している発呼者の加入者番号を用いて、ＬＥ１４の監視制御部１７における着信規制解除コマンド（例えば、“ＳＰＲ  Ｎ：ｘｘｘ−ｘｘｘｘ”）に変換し、続いて、これをＬＥ１４の監視制御部１７に投入することにより、ＬＥ１４は被試験回線への着信規制を解除し、加入者回線は通常状態に戻る。
【００３９】
通話路試験を行う場合には、ＬＣＴ１１から保守者が被試験回線を指定して試験開始命令を入力する。すると、ＳＰＴ１２ａは、ＳＬＩＣ２２を介して、ＣＢＴ５１に対して該被試験回線の加入者番号により発呼する。ＣＢＴ５１は、該加入者番号を記録する。次に、ＳＰＴ１２ａは、着信規制制御部５３から着信規制コードをＭＦ発振器の発振するトーン信号によってＣＢＴ５１に対して送信する。ＣＢＴ５１では、トーン信号に載せられた着信規制信号（着信規制コード）を受信すると、これを着信規制信号検出部５２に送信する。すると、着信規制信号検出部５２は、ＣＢＴ５１に記録されている加入者番号から、どの回線を着信規制するかを検出して、当該着信規制コマンドを監視制御部１７に送信する。監視制御部１７は、受け取った着信規制コマンドに基づいて、分配段通話路３６に着信規制をかける。そして、上記被試験回線のＲＴ−ＬＥ間の通話路試験を行い、試験が終了すると、着信規制制御部５３から着信規制解除信号（着信規制解除コード）が送信される。着信規制信号検出部５２は、該着信規制解除信号を受け取ると監視制御部１７に対し、当該着信規制解除コマンドを渡す。監視制御部１７では、該着信規制解除コマンドの入力により、分配段通話路３６に対し通話路試験中に着信規制がかかっていた上記被試験回線の着信規制を解除する指示を出す。
【００４０】
その他の構成要素の動作は、前述した第１の実施形態と同様なので説明を省略する。
図７は、第２実施形態における着信規制制御部５３の構成例を示すブロック図である。
【００４１】
同図の着信規制制御部５３においては、通話路試験制御部５６、通話路試験測定部４４、呼制御部４６、及びリレー制御部４５の前述の構成に加え、トーン信号を送出するＭＦ発振器５７、着信規制信号制御部５５が設けられている。通話路試験の開始は、前述の通りであって、通話路試験制御部５６からリレー制御部４５に、呼制御部４６を介して発呼の指示が出力され、発信音を通話路試験測定部５６で受けると、次に、ダイヤルパルスあるいはダイヤルトーンが、リレー制御部４５あるいは、ＭＦ発振器５７から出力される。回線がつながると、次に、通話路試験制御部５６から指示を受けた着信規制信号制御部５５が、着信規制を行うべき旨の命令をコードとして生成し、ＭＦ発振器５７を制御して、該コードに対応する着信規制信号をＭＦ発振器５７から送信させる。また、通話路試験が終わった場合には、着信規制信号制御部５５が通話路試験制御部５６から指示を受けて、ＭＦ発振器５７に着信規制解除コードに対応する着信規制解除信号を送出させる。
【００４２】
図８は、第２の実施形態の着信規制信号検出部５２の構成を示す図である。
ＣＢＴ５からＭＦ（トーン）信号で送られてきた着信規制信号は、着信規制信号検出部５８によって検出され、これをコマンド変換部５９が監視制御部１７が解読できる着信規制コマンドに変換する。監視制御部１７はこの着信規制コマンドの入力を受けて、分配段通話路３６に該着信規制コマンドにより指定されている被試験回線への着信規制をかける。そして、該被試験回線の通話路試験が終了すると、ＣＢＴ５からＭＦ信号で送られてくる着信規制解除信号を着信規制信号検出部５８が検出し、これをコマンド変換部５９が解読し、当該着信規制解除コマンドに変換して、監視制御部１７に送る。監視制御部１７では、この着信規制解除コマンドの入力により分配段通話路３６に上記被試験回線の着信規制解除を命令する。
【００４３】
図９〜１２を用いて本発明の第３の実施形態であるＥ１フレームビットを用いた着信規制システムの実施形態について説明する。
図９は、Ｅ１フレームビットを用いた着信規制システムのブロック図である。
【００４４】
なお、同図において、図２と同じ構成要素には同じ参照符号を付してある。
ＲＴ１０にいる保守者がＬＣＴ１１を使用して任意の回線のＲＴ−ＬＥ間の通話路試験を開始する。ＬＣＴ１１からＳＰＴ１２ｂへ被試験回線の指定と通話路試験開始命令が送出されると、ＳＰＴ１２ｂの着信規制信号制御部６０内の通話路試験制御部は被試験回線ＩＤ（例えば、二進数“００１”）を回線ＩＤ書き込み部に書き込み、これを着信コマンドレジスタに記憶されている着信規制コマンド（例えば、二進数“１”）と共に伝送路ＩＦ（インタフェース）２７に送る。伝送路ＩＦ２７は、ＩＴＵ−Ｔ  Ｇ．７０３に規定されているＥ１フレームビットＳａ４、Ｓａ５、Ｓａ６に被試験回線ＩＤを、Ｓａ８に着信規制コマンドを挿入し、ＬＥ１４に送出する。
【００４５】
ＬＥ１４側のＡＮ  ＩＦ部３３で当該Ｅ１フレームビットを検出し、着信規制信号検出部６１で着信規制コマンド（Ｅ１フレームビットＳａ８）を検出し、該検出によりＬＥ１４の監視制御部１７における着信規制コマンド（例えば、“ＳＰＳ  ＴＥＲ、Ｎ：ｘｘｘ−ｘｘｘｘ”、ただし、“ｘｘｘ−ｘｘｘｘ”は被試験回線の加入者番号を表す。）に変換する。これをＬＥ１４の監視制御部１７に投入することにより、ＬＥ１４は被試験回線に着信規制を施し、該被試験回線に対する第三者からの着呼はＬＥ１４で規制され、該被試験回線の通話路試験時において、ＲＴ−ＬＥ間の通話路への影響は防止される。
【００４６】
着信規制解除信号についても同様である。着信規制制御部６０の通話路試験制御部はＥ１フレームのビットＳａ８に着信規制解除コマンド（例えば、二進数“０”）を挿入し、ＬＥ１４へ送出する。ＬＥ１４内の着信信号検出部６１は、これを、着信規制解除コマンド（例えば、“ＳＰＲ  Ｎ：ｘｘｘ−ｘｘｘｘ”）に変換し、これをＬＥ１４の監視制御部１７に投入することにより、ＬＥ１４は被試験回線への着信規制を解除し、加入者回線は通常状態に戻る。
【００４７】
第３実施形態においては、ＳＰＴ１２ｂ内の着信規制制御部６０が着信規制コマンドを生成し、これを、伝送路ＩＦ２７に出力する。伝送路ＩＦ２７では、集線部２６から入力した信号を、伝送路（あるいは伝送装置）３４に送出するＥ１フレームに組み立てる。そして、このＥ１フレームの当該ビットに着信規制制御部６０から入力された着信規制コマンドを組み込んで、挿入して、送信する。このＥ１フレームはＬＥ１４のＡＮ  ＩＦ部３３で分解され、通信に必要なメッセージは、ＭＣ１５で抽出される。一方、Ｅ１フレームに含まれている着信規制コマンドは、着信規制信号検出部６１に送られ、監視制御部１７用の着信規制コマンドに変換されて監視制御部１７に送られる。監視制御部１７は、入力される着信規制コマンドを解析し、分配段通話路３６に当該被試験回線への着信規制をかけさせる。
【００４８】
着信規制解除コマンドも同様であって、ＳＰＴ１２の着信規制制御部６０から出力され、伝送路ＩＦ２７でＥ１フレームビットに挿入されてＬＥ１４へ送られる。このようにして送られた着信規制解除コマンドは、ＡＮ  ＩＦ部３３で抽出され、着信規制信号検出部６１に送られる。着信規制信号検出部６１で検出された着信規制制御部６０から送信された着信規制解除コマンドは監視制御部１７用の着信規制解除コマンドに変換されて監視制御部１７に送られ、監視制御部１７の制御により分配段通信路３６において被試験回線に対する着信規制が解除される。
【００４９】
なお、上記第１〜第３実施形態において、監視制御部１７に対する着信規制コマンドや着信規制解除コマンドは、上述のようなキャラクタベースのコマンドである必要はなく、例えば、監視制御部１７が、ＧＵＩ（Graphical  User  Interface）を有する端末で構成されており、このＧＵＩが提供するコマンドを実行するように構成されていても良い。
【００５０】
図１０は、第３の実施形態における着信規制制御部６０の構成を示す図である。
なお、図３と同じ構成要素には同じ参照符号を付してある。
【００５１】
通話路試験制御部７０は、呼制御部４６に指令をだし、リレー制御部４５はリレーを閉じて、回線の接続可能状態とする。通話路試験測定部が発信音を受信したら、通話路試験制御部７０は呼制御部４６に相手先電話番号を送信するように命令を出す。呼制御部４６はリレー制御部４５あるいはＭＦ発振器４７を制御して、ダイヤルパルスあるいはダイヤルトーンを送信させる。また、通話路試験制御部７０は、着信規制信号制御部７３を介して、回線ＩＤ書込部７２にコマンドに被試験回線ＩＤを書込み、これを、着信規制コマンドレジスタ７１に送る。そして、着信規制コマンドレジスタ４１に記憶されている着信規制コマンドと、回線ＩＤ書込部７２から着信規制コマンドレジスタ４１に書込まれた被試験回線ＩＤは、伝送路ＩＦ２７に送られる。伝送路ＩＦ２７は、Ｅ１フレームビットに上記被試験回線ＩＤと上記着信規制コマンドを挿入し、該Ｅ１フレームをＬＥ１４へ送信する。
【００５２】
図１１は、第３の実施形態における着信規制信号検出部６１の構成を示す図である。
受信されたＥ１フレーム内の着信規制コマンドあるいは、着信規制解除コマンドは、ＡＮ  ＩＦ部３３で抽出されて、着信規制コマンド検出部８１で検出される。そして、該検出されたコマンドは、コマンド変換部８２で監視制御部１７が解釈可能な着信規制コマンドもしくは着信規制解除コマンドに変換され、監視制御部１７に出力される。そして、監視制御部１７により、解釈される。監視制御部１７は、該解釈後、分配段通話路３６を制御して、ＬＥ１４に被試験回線の着信規制あるいは着信規制解除を実施させる。前述したように、監視制御部１７は、保守者が使用するＬＥ制御用端末であり、通常、保守者のコマンド入力によりＬＥ１４の分配段通話路３６の回線接続等を制御するものである。
【００５３】
図１２は、Ｅ１フレームビットへの着信規制信号（被試験回線ＩＤ、及び着信規制もしくは着信規制解除コマンド）挿入位置を示す図である。Ｅ１フレームビットは、同図（ａ）に示されるように、図５で説明したフレームと同じフォーマットのフレームにおいて、第０番のタイムスロットに含まれるビットである。
【００５４】
図１２（ｂ）は、Ｅ１フレームのＳａビットの位置を示す図である。同図（ｂ）に示されるように、マルチフレームを構成する０〜１５番のフレームの第０番のタイムスロット内の、同図で四角の太枠で囲まれた２つの部分が、それぞれ、Ｓａ４、Ｓａ５、Ｓａ６ビット及びＳａ８ビットの設定フィールドである。ここで、“Ｓ７”と示されているビットが使用されていないのは、このビットがＡＮのＶ５．２インタフェースにより使用されているために着信規制信号、あるいは、着信規制解除信号として使用できないためである。これらのＳａビットのうち、“Ｓ４”、“Ｓ５”、“Ｓ６”と示されているビットは、着信規制あるいは着信規制解除を行う被試験回線ＩＤが設定されるものである。“Ｓ８”と示されているビットには、着信規制、あるいは着信規制解除コマンドがバイナリデータ（“０”または“１”）として設定される。
【００５５】
【発明の効果】
以上説明したように、本発明によれば、加入者系ネットワークにおいて、加入者側端局から通話路試験実行中に交換機に対して着信規制コマンド及び着信規制解除コマンド送信することができ、該通話路試験中において、被試験回線に対する第三者からの着信を規制するよう交換機を制御できる。また、通話路試験を含めた加入者系ネットワークの回線試験の効率向上に寄与することが出来る。
【図面の簡単な説明】
【図１】本発明の実施形態の原理説明図である。
【図２】本発明の第１の実施形態である共通信号線方式を用いた着信規制システムのブロック図を示し、特に標準インタフェースであるＶ５．２インタフェースでＡＮとＬＥとを接続しているシステムのブロック図を示す。
【図３】第１実施形態における着信規制制御部の構成例を示すブロック図である。
【図４】第１実施形態における着信規制信号検出部の構成例を示すブロック図である。
【図５】共通信号線方式における第１６タイムスロットのコントロール・プロトコル・メッセージのデータ構造について説明する図である。
【図６】本発明の第２実施形態であるＭＦ信号を用いた着信規制システムの構成を示すブロック図である。
【図７】第２実施形態における着信規制制御部の構成例を示す図である。
【図８】第２実施形態における着信規制信号検出部の構成例を示す図である。
【図９】本発明の第３実施形態であるＥ１フレームビットを用いた着信規制システムの構成を示すブロック図である。
【図１０】第３実施形態における着信規制制御部の構成例を示す図である。
【図１１】第３実施形態における着信規制信号検出部の構成例を示す図である。
【図１２】Ｅ１フレームビットへの着信規制信号挿入位置を示す図である。
【図１３】加入者系ネットワークの基本構成を示す図である。
【図１４】従来の加入者系ネットワークのシステム構成を示す図である。
【図１５】従来の通話路試験部の構成を示す図である。
【符号の説明】
１、１０      ＲＴ（加入者側端局）
２、１２、１２ａ、１２ｂ      ＳＰＴ
３、２５、５３、６０      着信規制制御部
４、１４      ＬＥ（交換機）
５、１６、５２、６１      着信規制信号検出部
６、１７      監視制御部
１１      ＬＣＴ
１３、１５、５０      ＭＣ
１８、１９      電話機
２０      ＡＮ（加入者系ネットワーク）
２１      ＣＴ（交換機側端局）
２２      ＳＬＩＣ
２３      ＳＬＴ
２４、５１      ＣＢＴ
２６      集線部
２７、２８      伝送路ＩＦ
２９      ＴＳＩ
３０      制御信号検出部
３１      試験制御部
３２      ＬＥ  ＩＦ
３３      ＡＮ  ＩＦ
４０、５６      通話路試験制御部
４１、７１、７２      着信規制コマンドレジスタ
４２      回線ＩＤ書込部
４３、５５、７３      着信規制信号制御部
４４      着信規制メッセージ検出部
４５、５９、８２      コマンド変換部
５７      ＭＦ発振器
５８      着信規制信号検出部
８１      着信規制コマンド検出部
【図１】
0003708339.tif 000002
【図２】
0003708339.tif 000003
【図３】
0003708339.tif 000004
【図４】
0003708339.tif 000005
【図５】
0003708339.tif 000006
【図６】
0003708339.tif 000007
【図７】
0003708339.tif 000008
【図８】
0003708339.tif 000009
【図９】
0003708339.tif 000010
【図１０】
0003708339.tif 000011
【図１１】
0003708339.tif 000012
【図１２】
0003708339.tif 000013
【図１３】
0003708339.tif 000014
【図１４】
0003708339.tif 000015
【図１５】
0003708339.tif 000016